(57)【要約】【課題】部屋全体を均一に照らすとともに、演出や手元灯など、タスク照明として使用できる照明器具を提供する。【解決手段】天井面９０に取り付けられる器具本体１１には、主発光部１４、カバー１６および副発光部５０を有する。主発光部１４は、天井面９０から離れる方向に光を照射可能である。カバー１６は、主発光部１４を覆う透光性を有する部材である。副発光部５０は、カバー１６よりも外側に配置されている。そして、副発光部５０は、器具本体１１に対して着脱可能であるとともに、発光色、光量、配光、形態のうちの少なくとも１つが異なる複数種類から任意に選択可能である。これにより、部屋全体を均一に照らすとともに、演出や手元灯など、タスク照明として使用できる。【選択図】図１
2014222589.tif 000002
【特許請求の範囲】
【請求項１】
天井面に取付可能な器具本体と、
前記器具本体に支持され、前記天井面から離れる方向に光を照射可能な主発光部と、
前記器具本体に支持され、前記主発光部を覆う透光性を有するカバーと、
前記器具本体に支持され、前記カバーよりも外側に配置された副発光部とを備え、
前記副発光部は、前記器具本体に対して着脱可能であるとともに、発光色、光量、配光、形態のうちの少なくとも１つが異なる複数種類から任意に選択可能である照明器具。
【請求項２】
請求項１に記載の照明器具において、
前記副発光部は、前記器具本体に対して移動可能である照明器具。
【発明の詳細な説明】
【技術分野】
【０００１】
本発明は、天井面に取り付けて、主に下方を照明する照明器具に関するものである。
【背景技術】
【０００２】
従来、天井面に取り付け、下方に光を照射して部屋全体を照明する照明器具が知られている（例えば、特許文献１参照）。
図７に示すように、特許文献１に記載の照明器具１００では、主に器具本体１０１、電源装置１０２、セード１０３、センターカバー１０４、光源部１０５、光反射部１０６を有している。
器具本体１０１の外周部には、複数のＬＥＤ１１１が設けられている。器具本体１０１の下面側には、中心部に穴１０７を有するドーナツ状のセード１０３が取り付けられ、穴１０７を覆うようにセンターカバー１０４が取り付けられる。
【０００３】
器具本体１０１の外形輪郭形状は円形であり、光源取付部１０８、収容部１０９、取付用穴１１０を有する。
光源取付部１０８には、光源部１０５及び光反射部１０６が取り付けられる。セード１０３は、光源取付部１０８の外周部に取り付けられる。
収容部１０９には、光源部１０５を点灯させるための電源装置１０２や点灯装置（図示せず）等が収容される。
取付用穴１１０は、器具本体１０１の中心部に設けられている。取付用穴１１０は、照明器具１００を天井に取り付ける際、アダプタ（図示せず）を取り付けるために形成されている。
【０００４】
従って、電源装置１０２からの供給電力により光源部１０５のＬＥＤ１１１が発光すると、セード１０３が、光源部１０５からの光を反射及び拡散させつつ、外部へ配光する。また、セード１０３においては、光を透過させる部分が下面側だけでなく、側面側及び上面側にも形成されている。
このため、点灯状態では、照明器具１００の直下だけでなく、その周囲や壁面、天井面まで配光が可能となっている。また、セード１０３の中心部に向けた配光が可能となっている。
これにより、広角配光が可能になり、空間の明るさ感を構成する天井面及び壁面照度を向上させ、直下照度を含めた適正照度を実現している。
【先行技術文献】
【特許文献】
【０００５】
【特許文献１】特開２０１２−２５６４４７号公報（第２図）
【発明の概要】
【発明が解決しようとする課題】
【０００６】
しかしながら、前述したような照明器具においては、部屋全体を均一に照らすことはできるが、演出や手元灯など、タスク照明としての使用は限られていたという問題があった。
すなわち、タスク照明としてはスタンドが用いられるが、置き場の問題や、スイッチ操作での入切等に手間が掛かり、使用しなくなるなど、用途が限られていた。
【０００７】
本発明は、従来の問題を解決するためになされたもので、部屋全体を均一に照らすとともに、演出や手元灯など、タスク照明としても使用できる照明器具を提供することを目的とする。
【課題を解決するための手段】
【０００８】
本発明の照明器具は、天井面に取付可能な器具本体と、前記器具本体に支持され、前記天井面から離れる方向に光を照射可能な主発光部と、前記器具本体に支持され、前記主発光部を覆う透光性を有するカバーと、前記器具本体に支持され、前記カバーよりも外側に配置された副発光部とを備え、前記副発光部は、前記器具本体に対して着脱可能であるとともに、発光色、光量、配光、形態のうちの少なくとも１つが異なる複数種類から任意に選択可能であるものである。
【０００９】
また、本発明の照明器具は、前記副発光部は、前記器具本体に対して移動可能であるものである。
【発明の効果】
【００１０】
本発明では、天井面に取り付けられる器具本体は、天井面から離れる方向に光を照射可能な主発光部、主発光部を覆う透光性を有するカバーおよびカバーよりも外側に配置されている副発光部を有する。そして、副発光部は、器具本体に対して着脱可能であるとともに、発光色、光量、配光、形態のうちの少なくとも１つが異なる複数種類から任意に選択可能である。これにより、部屋全体を均一に照らすとともに、演出や手元灯など、タスク照明として使用できるという効果を有する照明器具を提供できる。
【図面の簡単な説明】
【００１１】
【図１】本発明に係る実施形態の照明器具の分解斜視図
【図２】本発明に係る実施形態の照明器具の要部を上方から見た平面図
【図３】図２中ＩＩＩ−ＩＩＩ位置の断面図
【図４】本発明に係る実施形態の照明器具の要部側面図
【図５】副発光部用レールの斜視図
【図６】副発光部の分解斜視図
【図７】従来の照明器具の要部断面図
【発明を実施するための形態】
【００１２】
以下、本発明に係る実施形態の照明器具について、図面を用いて説明する。
図１に示すように、実施形態の照明器具１０は、板状の器具本体１１と、器具本体１１の前面（下面）を覆うカバー１６とを有する。
器具本体１１は、器具本体１１の中央部に取付部１２を有しており、取付部１２を介して器具本体１１は天井面（図４参照）９０に取り付けられる。器具本体１１は、厚みの薄いダイカスト部材等を用いて環状に形成されている。器具本体１１の中央部には、取付部１２を操作するための孔部２４が設けられている。この孔部２４は、蓋部材２５により開閉可能に覆われる。
【００１３】
器具本体１１における孔部２４の側部には、リモコン受光部２７およびチャンネル設定部２８が取り付けられている。
リモコン受光部２７は、リモコン信号が受光される受光素子を内包し、乳白色の受光素子カバー２６で覆われている。
チャンネル設定部２８は、リモコン送信機（図示省略）との機種設定を行う。
【００１４】
器具本体１１における中央部の周りの周辺部１３には、環状に設けられた複数のＬＥＤ発光部（主発光部）１４を有する。なお、各ＬＥＤ発光部１４へ電力を供給する電源部（図４参照）１５が、器具本体１１に設けられている。電源部１５には、供給する電力等を制御する制御装置（図示省略）が設けられている。
各ＬＥＤ発光部１４の前方（下方）には、器具本体１１に固定されて各ＬＥＤ発光部１４を覆うＬＥＤカバー１７が設けられている。器具本体１１とＬＥＤカバー１７との間には、複数のシール部材１８およびシール部材１９とが介装される。
【００１５】
器具本体１１の床面側の外縁部には、カバー１６を回し止めるための複数のカバー係合部２９が取り付けられている。
器具本体１１は、床面側が例えば白色系に塗装されており、反射面として機能する。
ＬＥＤ発光部１４は、円周を四分割するように分離された円弧形状の回路基板２１を有する。回路基板２１は、複数の接続線（図示省略）によって電源部１５に接続されている。各接続線は、隣接する回路基板２１の間に取り付けられるグロメット２３を通って配線される。
【００１６】
ＬＥＤ発光部１４は、回路基板２１の床面側における内周側に封止された複数のＬＥＤチップ３０および回路基板２１の床面側における外周側に封止された複数のＬＥＤチップ３１を有する。ＬＥＤ発光部１４は、天井面９０から離れる方向（すなわち、下方）に光を照射することができる。
回路基板２１は、内周側のＬＥＤチップ３０および外周側のＬＥＤチップ３１に電気的に接続される不図示のプリント回路を有し、それらプリント回路が接続線を通じて電源部１５に独立して電気的に接続される。
なお、内周側の複数のＬＥＤ３０チップおよび外周側の複数のＬＥＤチップ３１は、それぞれ異なる色温度等の特性を有するものを適用できる。
【００１７】
取付部１２は、天井面９０に設置されている引掛シーリング（図示省略）に機械的および電気的に接続される取付アダプタであって、電源部１５に電気的に接続される。
電源部１５は、引掛シーリングから給電される商用交流電流を回路基板２１のプリント回路に直流電源に変換して与えるためのインバータ等の電気部品を内蔵している。
【００１８】
ＬＥＤカバー１７は、カバー１６の中央部に光成分を配光する広角レンズであり、透光性を有する樹脂で形成されている。ＬＥＤカバー１７は、内周側の複数のＬＥＤチップ３０を覆う内周側レンズ部３２および外周側の複数のＬＥＤチップ３１を覆う外周側レンズ部３３を有する円環形状に形成されている。
ＬＥＤカバー１７は、内周側レンズ部３２と外周側レンズ部３３との間に凹部３４を有する。
ＬＥＤカバー１７は、内周側のＬＥＤチップ３０および外周側のＬＥＤチップ３１とともにＬＥＤ発光部１４を構成する。
【００１９】
ＬＥＤカバー１７は、鍔形状に形成された外縁部に複数のねじ孔部３５を有し、同じく鍔形状に形成された内縁部に複数のねじ孔部３６を有する。
ＬＥＤカバー１７は、外縁部のねじ孔部３５および内縁部のねじ孔部３６を介して器具本体１１に取り付けられる。
孔部２４は、取付部１２の外径寸法よりも十分に大きい内径寸法を有する小判形状に形成されている。
蓋部材２５は、孔部２４の内径寸法よりも大きい外径寸法を有する小判形状の外形を呈しており、孔部２４に着脱自在に取り付けられる。蓋部材２５は、表面が反射機能を有する。
従って、蓋部材２５は、取り外されることにより、孔部２４の内部に配置される取付部１２を操作することができる。
【００２０】
各ＬＥＤ発光部１４の前方には、各ＬＥＤ発光部１４を覆うカバー１６が設けられる。
カバー１６は、例えば乳白色の樹脂製であって、器具本体１１のカバー係合部２９に回し止めされる。
【００２１】
図１および図２に示すように、器具本体１１の外周縁部には、副発光部用レール４０が取り付けられている。副発光部用レール４０は、器具本体１１の外周面に沿って設けられており、全体リング形状を呈している。
図３および図５に示すように、副発光部用レール４０は、器具本体１１の上面に取り付けられる水平な取付面４１と、取付面４１から下方へ折曲げられた垂直面４２を有する。垂直面４２の下端は、水平方向外側に折曲げられてレール部４３が設けられており、レール部４３の外周端は上方に折曲げられてリブ４４が設けられている。
【００２２】
図２および図５に示すように、レール部４３には、周方向に開口部４５が設けられている。開口部４５は、全周を複数個（例えば、８個）に分割されている。
開口部４５には、副発光部５０が着脱可能に設けられている。副発光部５０は、各開口部４５に取り付けることができる。また、一つの開口部４５に複数個の副発光部５０を取り付けることもできる。
【００２３】
図３および図６に示すように、副発光部５０は、光源を有する灯具５１と、灯具５１を副発光部用レール４０に取り付けるための取付具５２を有する。
灯具５１は、例えば円錐形状の灯具本体５３と、灯具本体５３の前方に取り付けられている円柱形状の筒部５４を有する。図示はしないが、灯具本体５３には、光源やレンズやカバーが収容されている。
【００２４】
また、図６に示すように、灯具本体５３の上端には、自在継手５８１を有する継手部５８が設けられている。自在継手５８１は、水平方向（図４中矢印Ａ参照）および垂直方向（図４中矢印Ｂ参照）に回動可能であり、かつ、選択された方向で固定される。
従って、灯具本体５３は、継手部５８に対して任意の方向に向けて固定することができる。
【００２５】
図２に示すように、灯具本体５３には、光源に点灯電力を供給する受電線５３１が接続されている。受電線５３１の先端には、電力の供給を受ける受電コネクタ５３２が取り付けられている。
灯具本体５３には、次の副発光部５０に点灯電力を供給するための給電線５３３が設けられている。給電線５３３の先端には、給電コネクタ５３４が設けられている。
受電コネクタ５３２と給電コネクタ５３４とは電気的および機械的に接続可能となっており、上流側の副発光部５０から下流側の副発光部５０に電力が供給される。
【００２６】
最上流の副発光部５０の受電コネクタ５３２は、電源部１５からの電線１５１に取り付けられている電源コネクタ１５２に接続される。これにより、副発光部５０は、電源部１５の制御により点灯される。
また、最下流の副発光部５０の給電線５３３は接続されないので、下方に垂れ下がらないように、器具本体１１の上面等に固定するのが望ましい。
各副発光部５０は、全てを直列に接続して電源部１５に接続し、全体として制御することができる。あるいは、各開口部４５ごとに電源部１５に接続して、各開口部４５の副発光部５０ごとに点灯を制御することもできる。
【００２７】
図３および図６に示すように、取付具５２は、全体Ｔ字形状の取付具本体５５と、取付具本体５５に締結可能なツマミネジ部５６を有する。
取付具本体５５は、長円形状あるいは長方形状の板状部材である支持板５５１と、支持板５５１の中央から下方へ伸びるネジ部５５２を有する。
支持板５５１の幅方向寸法は、副発光部用レール４０の開口部４５の幅Ｗ１（図２参照）よりも小さい。また、支持板５５１の長さ方向寸法は、副発光部用レール４０の開口部４５の幅Ｗ１よりも大きく、かつ、副発光部用レール４０の垂直面４２とリブ４４との間の幅Ｗ２よりも小さい。
【００２８】
ネジ部５５２の下端面には取付具側連結部５５３が設けられており、取付具側連結部５５３に灯具５１の継手部５８に設けられている灯具側連結部５８２を連結して、灯具５１と取付具５２が連結される。
従って、灯具５１は、自在継手５８１の作用により、取付具５２に対して水平方向および垂直方向に回動可能となり、任意の方向に向けて位置決めできる。
【００２９】
また、ツマミネジ部５６は円板状の部材であり、中央にネジ部５５２に螺合するねじ孔５６１が貫通して設けられている。ツマミネジ部５６の外径の大きさは、副発光部用レール４０の開口部４５の幅Ｗ１よりも大きい。
なお、ツマミネジ部５６の外周面に、ギザギザの滑り止めを設けるのが望ましい。
【００３０】
次に、副発光部５０を組み立てる動作について説明する。
まず、図６に示すように、取付具本体５５のネジ部５５２にツマミネジ部５６を回転させて取り付ける。
次いで、ツマミネジ部５６の下側において、ネジ部５５２の先端の取付具側連結部５５３に灯具５１の継手部５８に設けられている灯具側連結部５８２をネジ（図示省略）等により連結する。
これにより、灯具５１と取付具５２が組み付けられる。
【００３１】
次に、副発光部５０を副発光部用レール４０に取り付ける動作について説明する。
副発光部５０の取付具５２の支持板５５１の長手方向を、副発光部用レール４０の開口部４５の長手方向に合わせる。
支持板５５１の幅は、開口部４５の幅よりも小さいので、支持板５５１を開口部４５の下側から挿入する。
【００３２】
そして、支持板５５１を約９０度回転させ、ツマミネジ部５６を回転させて締付ける。支持板５５１の長さは、開口部４５の幅よりも大きいので、副発光部用レール４０のレール部４３が、支持板５５１とツマミネジ部５６とに挟まれて固定される。
これにより、副発光部５０は副発光部用レール４０における任意の場所に取り付けることができる。なお、ツマミネジ部５６を緩めることにより、開口部４５に沿って移動可能となる（図２中矢印Ａ参照）。
その後、灯具本体５３を自在継手５８１によって所望の方向に向ける。
【００３３】
次に、副発光部５０の制御について説明する。
前述したように、副発光部５０は、消耗の方向に向けて光を照射するように取り付けることができる。
また、副発光部５０は電源部１５に接続されており、電源部１５の制御装置によって制御される。このため、複数の副発光部５０に発光色が異なるＬＥＤ（図示省略）を用い、副発光部５０を所望の位置に配置することにより、副発光部５０の発光色を変えることができる。また、光量を調整することができる。
【００３４】
次に、実施形態の照明器具１０の作用効果について説明する。
天井面９０に取り付けられる器具本体１１には、ＬＥＤ発光部１４、カバー１６および副発光部５０を有する。ＬＥＤ発光部１４は、天井面９０から離れる方向（すなわち、下方）に光を照射可能である。カバー１６は、ＬＥＤ発光部１４を覆う透光性を有する部材である。副発光部５０は、カバー１６よりも外側に配置されているので、主発光部からの光を遮らない。
そして、副発光部５０は、器具本体１１に対して着脱可能であるとともに、発光色、光量、配光、形態のうちの少なくとも１つが異なる複数種類から任意に選択可能である。
これにより、部屋全体を均一に照らすとともに、演出や手元灯など、タスク照明として使用できる。
【００３５】
また、照明器具１０では、副発光部５０は、器具本体１１に対して移動可能であるので、配光の自由度が増す。
【００３６】
本発明の照明器具は、前述した実施形態に限定されるものでなく、適宜な変形、改良等が可能である。
【符号の説明】
【００３７】
１０  照明器具
１１  器具本体
１４  ＬＥＤ発光部（主発光部）
１６  カバー
５０  副発光部
９０  天井面
【図１】
2014222589.tif 000003
【図２】
2014222589.tif 000004
【図３】
2014222589.tif 000005
【図４】
2014222589.tif 000006
【図５】
2014222589.tif 000007
【図６】
2014222589.tif 000008
【図７】
2014222589.tif 000009